(57)【要約】【課題】計量操作が簡単で、嵩張らない計量カップを提供する。【解決手段】底部１１、周壁部１２及び当該周壁部の上部に前記底部より大きい面積の開口部１３を有する第１のカップ１と、周壁部２１、当該周壁部の上部に形成された上部開口部２２及び前記周壁部の下部に形成され前記上部開口部より大きい面積の下部開口部２３を有し、前記第１のカップ１の前記周壁部１２の外面に着脱可能に嵌合して前記第１のカップと協働して計量カップを構成する第２のカップ２と、を備える。【選択図】  図１
0003136393.tif 000002
【実用新案登録請求の範囲】
【請求項１】
底部、周壁部及び当該周壁部の上部に前記底部より大きい面積の開口部を有する第１のカップと、
周壁部、当該周壁部の上部に形成された上部開口部及び前記周壁部の下部に形成され前記上部開口部より小さい面積の下部開口部を有し、前記第１のカップの前記周壁部の外面に着脱可能に嵌合して前記第１のカップと協働して計量カップを構成する第２のカップと、を備え、
前記第１のカップ及び前記第２のカップで構成される計量カップの総容量が、前記第１のカップのみで構成される計量カップの総容量より大きいことを特徴とする組み合わせ計量カップ。
【請求項２】
請求項１に記載の組み合わせ計量カップにおいて、
周壁部、当該周壁部の上部に形成された上部開口部及び前記周壁部の下部に形成され前記上部開口部より小さい面積の下部開口部を有し、前記第２のカップの前記周壁部の外面に着脱可能に嵌合して前記第１のカップ及び前記第２のカップと協働して計量カップを構成する第３のカップをさらに備え、
前記第１のカップ、前記第２のカップ及び前記第３のカップで構成される計量カップの総容量が、前記第１のカップ及び前記第２のカップで構成される計量カップの総容量より大きいことを特徴とする組み合わせ計量カップ。
【請求項３】
請求項２に記載の組み合わせ計量カップにおいて、
周壁部、当該周壁部の上部に形成された上部開口部及び前記周壁部の下部に形成され前記上部開口部より小さい面積の下部開口部を有し、前記第３のカップの前記周壁部の外面に着脱可能に嵌合して前記第１のカップ、前記第２のカップ及び前記第３のカップと協働して計量カップを構成する第４のカップをさらに備え、
前記第１のカップ、前記第２のカップ、前記第３のカップ及び前記第４のカップで構成される計量カップの総容量が、前記第１のカップ、前記第２のカップ及び前記第３のカップで構成される計量カップの総容量より大きいことを特徴とする組み合わせ計量カップ。
【請求項４】
請求項３記載の組み合わせ計量カップにおいて、
前記第１のカップのみで構成される計量カップの総容量をＶ１，前記第１のカップと前記第２のカップで構成される計量カップの総容量をＶ２，前記第１のカップ、前記第２のカップ及び前記第３のカップで構成される計量カップの総容量をＶ３，前記第１のカップ、前記第２のカップ、前記第３のカップ及び前記第４のカップで構成される計量カップの総容量をＶ４としたときに、Ｖ４＝Ｖ３＋Ｖ１＝Ｖ２＋２Ｖ１＝４Ｖ１が成立することを特徴とする組み合わせ計量カップ。
【請求項５】
請求項１〜４の何れか一項に記載の組み合わせ計量カップにおいて、
嵌合される２つの計量カップのうちの下側のカップの周壁部に、嵌合される上側のカップの下部開口部の短縁が位置すべき目印線が形成されていることを特徴とする組み合わせ計量カップ。
【考案の詳細な説明】
【技術分野】
【０００１】
本考案は、ヘラブナ（箆鮒）釣りなどで用いられる釣り餌の調合に用いて好ましい計量カップに関するものである。
【背景技術】
【０００２】
ヘラブナ釣りなどの釣り餌は、複数種の餌をブレンドし、そこに水を入れて調合する。従来は、目盛り付きの計量カップを用いて、目盛りを見ながら複数種の餌を計量してブレンドしていた。たとえば、Ａという餌１に対してＢという餌を２の割合でブレンドし、そこに３の割合で水を入れるといった具合である。
【０００３】
しかしながら、１回に調合する餌の量は個人によって異なるし、釣りの状況によっても異なる。このため、ブレンド割合を目盛りで換算することがたいへん煩わしいと問題があった。
【０００４】
また、大きな計量カップは嵩張ることから持ち運びにも不便であり、容積が小さい計量カップの考案が望まれている。
【０００５】
【特許文献１】特開２０００−２２１０７１号公報
【考案の開示】
【考案が解決しようとする課題】
【０００６】
本考案が解決しようとする課題は、計量操作が簡単で、嵩張らない計量カップを提供することである。
【課題を解決するための手段】
【０００７】
本考案は、以下の解決手段によって上記課題を解決する。なお、本考案の実施形態を示す図面に対応する符号を付して説明するが、この符号は本考案の理解を容易にするためだけのものであって本考案を限定する趣旨ではない。
【０００８】
［１］本考案に係る組み合わせ計量カップ（２００）は、底部（１１）、周壁部（１２）及び当該周壁部の上部に前記底部より大きい面積の開口部（１３）を有する第１のカップ（１）と、
周壁部（２１）、当該周壁部の上部に形成された上部開口部（２２）及び前記周壁部の下部に形成され前記上部開口部より小さい面積の下部開口部（２３）を有し、前記第１のカップ（１）の前記周壁部（１２）の外面に着脱可能に嵌合して前記第１のカップと協働して計量カップを構成する第２のカップ（２）と、を備え、
前記第１のカップ及び前記第２のカップで構成される計量カップ（２００）の総容量（Ｖ２）が、前記第１のカップ（１）のみで構成される計量カップ（１００）の総容量（Ｖ１）より大きいことを特徴とする。
【０００９】
［２］また、上記考案に係る組み合わせ計量カップ（２００）において、
周壁部（３１）、当該周壁部の上部に形成された上部開口部（３２）及び前記周壁部の下部に形成され前記上部開口部より小さい面積の下部開口部（３３）を有し、前記第２のカップ（２）の前記周壁部（２１）の外面に着脱可能に嵌合して前記第１のカップ及び前記第２のカップと協働して計量カップ（３００）を構成する第３のカップ（３）をさらに備え、
前記第１のカップ（１）、前記第２のカップ（２）及び前記第３のカップ（３）で構成される計量カップ（３００）の総容量（Ｖ３）が、前記第１のカップ及び前記第２のカップで構成される計量カップ（２００）の総容量（Ｖ２）より大きいように構成することもできる。
【００１０】
［３］また、上記考案に係る組み合わせ計量カップ（３００）において、
周壁部（４１）、当該周壁部の上部に形成された上部開口部（４２）及び前記周壁部の下部に形成され前記上部開口部より小さい面積の下部開口部（４３）を有し、前記第３のカップ（３）の前記周壁部（３１）の外面に着脱可能に嵌合して前記第１のカップ、前記第２のカップ及び前記第３のカップと協働して計量カップ（４００）を構成する第４のカップ（４）をさらに備え、
前記第１のカップ（１）、前記第２のカップ（２）、前記第３のカップ（３）及び前記第４のカップ（４）で構成される計量カップ（４００）の総容量（Ｖ４）が、前記第１のカップ（１）、前記第２のカップ（２）及び前記第３のカップ（３）で構成される計量カップ（３００）の総容量（Ｖ３）より大きいように構成することもできる。
【００１１】
［４］上記考案に係る計量カップ（１００〜４００）おいて、前記第１のカップ（１）のみで構成される計量カップ（１００）の総容量をＶ１，前記第１のカップ（１）と前記第２のカップ（２）で構成される計量カップ（２００）の総容量をＶ２，前記第１のカップ（１）、前記第２のカップ（２）及び前記第３のカップ（３）で構成される計量カップ（３００）の総容量をＶ３，前記第１のカップ（１）、前記第２のカップ（２）、前記第３のカップ（３）及び前記第４のカップ（４）で構成される計量カップ（４００）の総容量をＶ４としたときに、Ｖ４＝Ｖ３＋Ｖ１＝Ｖ２＋２Ｖ１＝４Ｖ１が成立するよう構成することもできる。
【００１２】
［５］上記考案に係る計量カップ（１００〜４００）において、嵌合される２つの計量カップのうちの下側のカップの周壁部に、嵌合される上側のカップの下部開口部の短縁が位置すべき目印線（１４，２４，３４，４４）を形成することもできる。
【考案の効果】
【００１３】
本考案に係る組み合わせ計量カップは、計量操作が簡単で、嵩張らず持ち運びにも便利である。
【考案を実施するための最良の形態】
【００１４】
以下、本考案の実施形態を図面に基づいて説明する。
【００１５】
図１は本考案の実施形態に係る組み合わせ計量カップを構成する第１〜第４カップを示す一部破断正面図、図２及び図３は本考案の実施形態に係る組み合わせ計量カップを示す断面図、図４は本考案の実施形態に係る組み合わせ計量カップの収納状態を示す断面図である。
【００１６】
本実施形態に係る組み合わせ計量カップは、それぞれプラスチック、金属又は磁器材料により形成された第１のカップ１、第２のカップ２、第３のカップ３及び第４のカップ４で構成されている。
【００１７】
第１のカップ１は、図１に示すように、円形の底部１１と、この底部から全周にわたって立ち上がる円筒状の周壁部１２とを有し、周壁部１２の上部には底部１１より大きい面積であって円形の開口部１３が形成されている。
【００１８】
本例の周壁部１２は、鉛直方向に対して傾斜角θをもって上部に拡開する形状とされている。ただし、周壁部１２を鉛直方向、すなわちθ＝０とすることもできる。
【００１９】
周壁部１２の外面には後述する第２のカップ２と嵌合するに際して嵌合位置を示す目印線１４が、全周にわたって又は一部に、印刷や刻印などの手段により形成されている。また、第１のカップ１のみを計量カップとして用いる場合に、その総容量を示す文字（図示する例では「５０ｃｃ」）と、総容量が計量物を第１のカップ１に擦り切り入れたときの容量であることを示す矢印が開口部１３の端部に向けて印刷等されている。
【００２０】
第２のカップ２は、円筒状の周壁部２１を有し、この周壁部２１の上部に円形の上部開口部２２が形成され、同じく周壁部２１の下部に円形の下部開口部２３が形成されている。
【００２１】
本例の周壁部２１は、上述した第１のカップ１の周壁部１２と同様に、鉛直方向に対して傾斜角θをもって上部に拡開する形状とされている。したがって、上部開口部２２は下部開口部２３より開口面積が大きいことになる。ただし、上述した第１のカップ１の周壁部１２を鉛直方向、すなわちθ＝０にした場合には、第２のカップ２の周壁部２１も鉛直方向、すなわちθ＝０とする。
【００２２】
この第２のカップ２は、図２（Ｂ）に示すように、上述した第１のカップ１の周壁部１２の外面に着脱可能に嵌合する。すなわち、同図に示す状態において、第１のカップ１の周壁部１２外面の上部の直径と、これに接触する第２のカップ２の周壁部２１内面の直径がほぼ等しくされている。このようにして、第１のカップ１と第２のカップ２は協働して計量カップ２００を構成することになる。
【００２３】
このとき、本例では、第１のカップ１及び第２のカップ２で構成される計量カップ２００の総容量Ｖ２が、図２（Ａ）に示す第１のカップ１のみで構成される計量カップ１００の総容量Ｖ１の２倍となるよう、第１のカップ１及び第２のカップ２の形状、すなわち高さ、直径及び重ね合わせ寸法が定められている。
【００２４】
第２のカップ２の周壁部２１の外面には、後述する第３のカップ３と嵌合するに際して嵌合位置を示す目印線２４が、全周にわたって又は一部に、印刷や刻印などの手段により形成されている。また、第１のカップ１と第２のカップ２とを組み合わせた計量カップ２００として用いる場合に、その総容量を示す文字（図示する例では「１００ｃｃ」）と、総容量が計量物を計量カップ２００に擦り切り入れたときの容量であることを示す矢印が開口部２２の端部に向けて印刷等されている。
【００２５】
第３のカップ３は、円筒状の周壁部３１を有し、この周壁部３１の上部に円形の上部開口部３２が形成され、同じく周壁部３１の下部に円形の下部開口部３３が形成されている。
【００２６】
本例の周壁部３１は、上述した第１のカップ１の周壁部１２及び第２のカップ２の周壁部２１と同様に、鉛直方向に対して傾斜角θをもって上部に拡開する形状とされている。したがって、上部開口部３２は下部開口部３３より開口面積が大きいことになる。ただし、上述した第１のカップ１の周壁部１２及び第２のカップ２の周壁部２１を鉛直方向、すなわちθ＝０にした場合には、第３のカップ３の周壁部３１も鉛直方向、すなわちθ＝０とする。
【００２７】
この第３のカップ３は、図２（Ｃ）に示すように、上述した第２のカップ２の周壁部２１の外面に着脱可能に嵌合する。すなわち、同図に示す状態において、第２のカップ２の周壁部２１外面の上部の直径と、これに接触する第３のカップ３の周壁部３１内面の直径がほぼ等しくされている。このようにして、第１のカップ１と第２のカップ２と第３のカップ３は協働して計量カップ３００を構成することになる。
【００２８】
このとき、本例では、第１のカップ１、第２のカップ２及び第３のカップ３で構成される計量カップ３００の総容量Ｖ３が、図２（Ａ）に示す第１のカップ１のみで構成される計量カップ１００の総容量Ｖ１の３倍となるよう、第１のカップ１、第２のカップ２及び第３のカップ３の形状、すなわち高さ、直径及び重ね合わせ寸法が定められている。
【００２９】
第３のカップ３の周壁部３１の外面には、後述する第４のカップ４と嵌合するに際して嵌合位置を示す目印線３４が、全周にわたって又は一部に、印刷や刻印などの手段により形成されている。また、第１のカップ１と第２のカップ２と第３のカップ３とを組み合わせた計量カップ３００として用いる場合に、その総容量を示す文字（図示する例では「１５０ｃｃ」）と、総容量が計量物を計量カップ３００に擦り切り入れたときの容量であることを示す矢印が開口部３２の端部に向けて印刷等されている。
【００３０】
第４のカップ４は、円筒状の周壁部４１を有し、この周壁部４１の上部に円形の上部開口部４２が形成され、同じく周壁部４１の下部に円形の下部開口部４３が形成されている。
【００３１】
本例の周壁部４１は、上述した第１のカップ１の周壁部１２、第２のカップ２の周壁部２１及び第３のカップ３の周壁部３１と同様に、鉛直方向に対して傾斜角θをもって上部に拡開する形状とされている。したがって、上部開口部４２は下部開口部４３より開口面積が大きいことになる。ただし、上述した第１のカップ１の周壁部１２、第２のカップ２の周壁部２１及び第３のカップ３の周壁部３１を鉛直方向、すなわちθ＝０にした場合には、第４のカップ４の周壁部４１も鉛直方向、すなわちθ＝０とする。
【００３２】
この第４のカップ４は、図３（Ｂ）に示すように、上述した第３のカップ３の周壁部３１の外面に着脱可能に嵌合する。すなわち、同図に示す状態において、第３のカップ３の周壁部３１外面の上部の直径と、これに接触する第４のカップ４の周壁部４１内面の直径がほぼ等しくされている。このようにして、第１のカップ１と第２のカップ２と第３のカップ３と第４のカップ４は協働して計量カップ４００を構成することになる。
【００３３】
このとき、本例では、第１のカップ１、第２のカップ２、第３のカップ３及び第４のカップ４で構成される計量カップ４００の総容量Ｖ４が、図２（Ａ）に示す第１のカップ１のみで構成される計量カップ１００の総容量Ｖ１の４倍となるよう、第１のカップ１、第２のカップ２、第３のカップ３及び第４のカップ４の形状、すなわち高さ、直径及び重ね合わせ寸法が定められている。
【００３４】
第４のカップ４の周壁部４１の外面には、さらに第５のカップ（不図示）と嵌合するに際して嵌合位置を示す目印線４４が、全周にわたって又は一部に、印刷や刻印などの手段により形成されている。また、第１のカップ１と第２のカップ２と第３のカップ３と第４のカップ４とを組み合わせた計量カップ４００として用いる場合に、その総容量を示す文字（図示する例では「２００ｃｃ」）と、総容量が計量物を計量カップ４００に擦り切り入れたときの容量であることを示す矢印が開口部４２の端部に向けて印刷等されている。
【００３５】
次に本実施形態に係る組み合わせ計量カップの使用例を説明する。
【００３６】
たとえば、ヘラブナ釣りの釣り餌を調合するに当たり、異種の餌のブレンド割合が釣果に影響を与えることが少なくない。このため、従来型の計量カップを用いて目盛りを見ながら釣り餌を計量する方法では、ブレンド精度が悪くなる。
【００３７】
そこで、本例では計量カップに釣り餌を擦り切り入れることで計量精度を高めるとともに、複数のカップ１〜４の組み合わせで構成される総容量が異なる組み合わせ計量カップ１００〜４００を用いることで計量作業の簡便化を図っている。
【００３８】
たとえば、Ａという餌の容量１（５０ｃｃ）に対して、Ｂという餌を２（１５０ｃｃ）の割合でブレンドし、そこに３（１５０ｃｃ）の割合で水を入れる場合の計量カップの使用例を説明する。まず第１のカップ１のみで構成される計量カップ１００にＡという餌を擦り切りいっぱい入れて、これを調合容器に移す。次に、第１のカップ１と第２のカップ２を組み合わせて計量カップ２００を作製し、これにＢという餌を擦り切りいっぱい入れて、これを調合容器に移す。次に、第１のカップ１、第２のカップ２及び第３のカップ３を組み合わせて計量カップ３００を作製し、これに水を擦り切り入れて、これを調合容器に入れる。これら餌Ａ，Ｂを水とともに混合すると、１５０ｃｃのブレンドされたヘラブナの釣り餌が出来上がる。
【００３９】
また、上述した餌Ａと餌Ｂと水を１：１．５：３の割合でブレンドして２５０ｃｃのブレンド餌を調合する場合には、第１のカップ１と第２のカップ２を組み合わせて計量カップ２００を作製し、これにＢという餌を擦り切りいっぱい入れて、この１００ｃｃの餌Ａを調合容器に移す。次に、第１のカップ１、第２のカップ２及び第３のカップ３を組み合わせて計量カップ３００を作製し、これに餌Ｂを擦り切り入れて、この１５０ｃｃの餌Ｂを調合容器に入れる。次に、同じ計量カップ３００に水を擦り切り入れて、これを２杯、調合容器に入れる。これら餌Ａ，Ｂを水とともに混合すると、２５０ｃｃのブレンドされたヘラブナの釣り餌が出来上がる。
【００４０】
このように、本実施形態の組み合わせ計量カップによれば、計量物をカップに擦り切り入れることで計量精度を高めることができる。また、カップの組み合わせによって目盛りを目視する必要がないので計量作業がきわめて簡単である。
【００４１】
さらに、本例の組み合わせ計量カップを持ち運ぶ際は、図４に示すように、第２のカップ２、第３のカップ３及び第４のカップ４を畳んで第１のカップ１の廻りに重ねることができるので、必要に応じてこれを何らかの容器５に入れることで嵩張ることがなくなる。
【００４２】
なお、上述した実施形態では組み合わせ計量カップを４つのカップ１〜４で構成したが、カップの数は２以上であれば適用することができる。また、計量物は餌や水に限定されずその他の物も計量することができる。
【図面の簡単な説明】
【００４３】
【図１】本考案の実施形態に係る組み合わせ計量カップを構成する第１〜第４カップを示す一部破断正面図である。
【図２】本考案の実施形態に係る組み合わせ計量カップを示す断面図である。
【図３】本考案の実施形態に係る組み合わせ計量カップを示す断面図である。
【図４】本考案の実施形態に係る組み合わせ計量カップの収納状態を示す断面図である。
【符号の説明】
【００４４】
１…第１のカップ
１１…底部
１２…周壁部
１３…開口部
１４…目印線
２…第２のカップ
２１…周壁部
２２…上部開口部
２３…下部開口部
２４…目印線
３…第３のカップ
３１…周壁部
３２…上部開口部
３３…下部開口部
３４…目印線
４…第４のカップ
４１…周壁部
４２…上部開口部
４３…下部開口部
４４…目印線
１００〜４００…組み合わせ計量カップ
【図１】
0003136393.tif 000003
【図２】
0003136393.tif 000004
【図３】
0003136393.tif 000005
【図４】
0003136393.tif 000006